(57)【要約】【課題】  ユーザの指示に応じてファンおよびスロットリング機能を用いてＣＰＵを冷却する情報処理装置および該情報処理装置にて実行されるＣＰＵの冷却方法を提供する。【解決手段】  ユーザによる操作手段の操作に応じて、ＣＰＵを冷却するファンを駆動するとともにＣＰＵのスロットリング機能をオンにする。【選択図】  図４
2007066073.tif 000002
【特許請求の範囲】
【請求項１】
スロットリング機能をサポートするＣＰＵと、
前記ＣＰＵを冷却するファンと、
操作手段と、
ユーザによる前記操作手段の操作に応じて、前記ファンを駆動するとともに前記スロットリング機能をオンにする制御手段と、
を具備することを特徴とする情報処理装置。
【請求項２】
前記制御手段は、ユーザによる操作手段の操作に応じて、前記ファンを最大回転数で駆動させるとともに前記スロットリング機能にて規定されている最大のスロットリング率に設定することを特徴とする請求項１記載の情報処理装置。
【請求項３】
前記制御手段は、前記ＣＰＵの温度が所定の温度に達すると前記ファンの駆動を停止することを特徴とする請求項１記載の情報処理装置。
【請求項４】
前記ＣＰＵの温度が所定の温度に達すると、前記ＣＰＵの冷却処理が終了した旨を表示する表示部をさらに具備することを特徴とする請求項１記載の情報処理装置。
【請求項５】
前記ユーザによる前記操作手段の操作に応じて、前記ファンを駆動するとともに前記スロットリング機能をオンにする機能のオン／オフを設定する設定手段をさらに具備することを特徴とする請求項１記載の銃砲処理装置。
【請求項６】
スロットリング機能をサポートするＣＰＵと、ＣＰＵを冷却するファンと、操作手段とを具備する情報処理装置にて実行されるＣＰＵの冷却方法において、
ユーザによる前記操作手段の操作に応じて、前記ファンを駆動し、
前記ユーザによる前記操作手段の操作に応じて、前記スロットリング機能をオンにすることを特徴とするＣＰＵの冷却方法。
【請求項７】
前記ユーザによる前記操作手段の操作に応じて、前記ファンを最大回転数で駆動させ、
前記ユーザによる前記操作手段の操作に応じて、前記スロットリング機能にて規定されている最大のスロットリング率に設定することを特徴とする請求項６記載のＣＰＵ冷却方法。
【請求項８】
前記ＣＰＵの温度が所定の温度に達すると前記ファンの駆動を停止することを特徴とする請求項６記載のＣＰＵ冷却方法。
【請求項９】
前記ＣＰＵの温度が所定の温度に達すると、前記ＣＰＵの冷却処理が終了した旨を表示することを特徴とする請求項６記載のＣＰＵ冷却方法。
【発明の詳細な説明】
【技術分野】
【０００１】
本発明は、ＣＰＵを搭載する情報処理装置に関し、特に、冷却処理を必要とするＣＰＵを搭載する情報処理装置に関する。
【背景技術】
【０００２】
近年開発されているコンピュータに搭載されるＣＰＵの処理速度は高速化され続ける傾向にある。ＣＰＵの処理速度の高速化が図られるに伴いＣＰＵの消費電力量も増大し続けている。
【０００３】
さらに、ＣＰＵの消費電力量が増大するに伴いＣＰＵの温度もますます高温となる。ＣＰＵの温度が高温化を抑えるために、ＣＰＵの冷却技術も開発され続けている。
【０００４】
ＣＰＵの冷却技術として、ファンの回転数を適切に制御することでＣＰＵを冷却する技術、ＣＰＵを一定間隔で動作／停止させるという間欠動作を行なうことによって平均的なＣＰＵ処理速度を切替えるＣＰＵスロットリング技術等が挙げられる。
【０００５】
例えば、ユーザの操作入力に従いファンの回転数を決定し、当該決定した回転数をもとにファンの回転数を制御するＣＰＵの冷却技術があった（特許文献１参照。）。
【特許文献１】特開２００４−３０２９９６号公報（第５頁、第３図）
【発明の開示】
【発明が解決しようとする課題】
【０００６】
特許文献１に開示される技術では、ユーザの指示に応じてファンの回転数を決定することが可能であるので、ユーザがＦＡＮの回転数を最大値に設定すると、ファンの最大冷却能力を用いてＣＰＵを冷却することが可能である。
【０００７】
しかしながら、特許文献１に開示される技術は、ユーザによってファンの回転数しか設定できないので、例えファンの最大冷却能力を用いてＣＰＵを冷却してもＣＰＵを十分に冷却するまでに時間を要する場合がありうる。
【０００８】
そこで、本発明は、ユーザの指示に応じてファンおよびスロットリング機能を用いてＣＰＵを冷却する情報処理装置および該情報処理装置にて実行されるＣＰＵの冷却方法を提供することを目的とする。
【課題を解決するための手段】
【０００９】
上記目的を達成するために、請求項１に係わる情報処理装置は、スロットリング機能をサポートするＣＰＵと、前記ＣＰＵを冷却するファンと、操作手段と、ユーザによる前記操作手段の操作に応じて、前記ファンを駆動するとともに前記スロットリング機能をオンにする制御手段と、を具備することを特徴とする。
【００１０】
また、請求項６に係わるＣＰＵの冷却方法は、スロットリング機能をサポートするＣＰＵと、ＣＰＵを冷却するファンと、操作手段とを具備する情報処理装置にて実行されるＣＰＵの冷却方法において、ユーザによる前記操作手段の操作に応じて、前記ファンを駆動し、前記ユーザによる前記操作手段の操作に応じて、前記スロットリング機能をオンにすることを特徴とする。
【発明の効果】
【００１１】
本発明によれば、ユーザの指示に応じてファンおよびスロットリング機能を用いてＣＰＵを冷却する情報処理装置および該情報処理装置にて実行されるＣＰＵの冷却方法を提供することが可能となる。
【発明を実施するための最良の形態】
【００１２】
図１はノートブック型パーソナルコンピュータ（以下、コンピュータと称す。）１のディスプレイユニット３を本体２に対して開いた状態の一例を示す斜視図である。
【００１３】
コンピュータ１は本体２とディスプレイユニット３とから構成される。ディスプレイユニット３には、ＬＣＤ（Liquid Crystal Display）４を有する表示装置が組み込まれており、ＬＣＤ４はディスプレイユニット３のほぼ中央に位置される。
【００１４】
ディスプレイユニット３は、本体２に対して開放位置と閉塞位置との間を回動自在に取り付けられる。本体２は略箱形の形状を有しており、本体２の上面にはキーボード５、コンピュータ１の電源オン／オフするためのパワーボタン６等が配置される。パワーボタン６はコンピュータ１を使用開始する際、押し下げ操作される。
【００１５】
本体２の例えば背面部にはＡＣアダプタ７を接続するためのケーブルが接続されるコネクタが設けられる。ＡＣアダプタ７は商用電源といった外部電源に接続されており、ＡＣアダプタ７はコンピュータ１に電源を供給する。次に、コンピュータ１の構成について説明する。
【００１６】
図２はコンピュータ１の構成の一例を示す図である。
【００１７】
ホストハブ（第１のブリッジ回路）１１には、ＣＰＵ１０、メインメモリ１３、グラフィックスコントローラ１５およびＩ／Ｏ（Input/Output）ハブ２０が接続されている。
【００１８】
ホストハブ１１はシステムバス１２を介してＣＰＵ１０と接続される。ホストハブ１１はメインメモリ１３へのアクセスを制御するメモリコントローラを内蔵する。
【００１９】
ＣＰＵ１０はコンピュータ１のシステムを制御するメインプロセッサである。ＣＰＵ１０は外部記憶装置であるＨＤＤ２１からメモリバス１４を介してメインメモリ１３にロードされる、オペレーティングシステム（ＯＳ）１３ｂ、アプリケーションプログラム、ユーティリティプログラムを実行する。
【００２０】
また、ＣＰＵ１０はＢＩＯＳ−ＲＯＭ２７からメインメモリ２３にロードされたＳｙｓｔｅｍ  ＢＩＯＳ（Basic Input Output System）１３ａを実行する。
【００２１】
ホストハブ１１にＡＧＰ（Accelerated Graphics Port）バス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２２】
ホストハブ１１と例えばハブインターフェイスといった専用バスで接続されるＩ／Ｏハブ（第二のブリッジ回路）２０は、ＬＰＣ（Low pin count）バス２６上の各デバイスを制御する。
【００２３】
Ｉ／Ｏハブ２０は、シリアルＡＴＡ規格をサポートするシリアルＡＴＡバス２１ａを介して外部記憶装置でありシリアルＡＴＡ規格をサポートするＨＤＤ２１と接続される。
【００２４】
ＨＤＤ（磁気ディスクデバイス）２１は磁気ディスクデバイスである。ＨＤＤ２１にはオペレーティングシステム（ＯＳ）１３ｂ、アプリケーションプログラム、ユーティリティプログラムおよびアプリケーションプログラムを使用することで生成されたデータ等が記憶される。
【００２５】
また、Ｉ／Ｏハブ２０には、ＬＡＮコントローラ２４、オーディオコーディック２３、ＢＩＯＳ-ＲＯＭ２７およびＣＭＯＳ２９が接続される。
【００２６】
ＬＡＮコントローラ２４は通信コントローラであり、ＭＡＣ（Media Access Controller）と物理層（ＰＨＹ）トランシーバが実装される。ＬＡＮコントローラ２４は所定の通信プロトコルに従って他の通信装置と通信を行い、通信速度の異なる複数の通信モードで通信を行うことが可能である。
【００２７】
ＬＡＮコントローラ２４にはＬＡＮコネクタ２４ａが接続される。ＬＡＮコネクタ２４ａの一例として、絶縁用トランスフォーマで構成されるＲＪ−４５コネクタ等が挙げられる。
【００２８】
オーディオコーディック２３はＩ／Ｏハブ２０とＡＣ（Audio Codec）９７（２２）を介して接続される。オーディオコーディック２３は、サウンド入出用のコーディックの一種である。オーディオコーディック２３は、入出力されるサウンドのコーディック部等を有する。
【００２９】
オーディオコーディック２３にはＡＭＰ２５ａが接続される。ＡＭＰ２５ａはオーディオコーディック２３にて生成されたサウンド信号を増幅する。ＡＭＰ２５ａによって増幅されたサウンド信号はスピーカに送出され、スピーカは可聴周波数帯の音波を出力する。
【００３０】
ＢＩＯＳ−ＲＯＭ２７はＳｙｓｔｅｍ  ＢＩＯＳ１３ａ等を記憶する記憶媒体である。ＢＩＯＳ−ＲＯＭ２７として使用される記憶媒体は、プログラムの書き換えが可能である記憶媒体、例えばフラッシュメモリ等である。
【００３１】
Ｓｙｓｔｅｍ  ＢＩＯＳ１３ａは各種ハードウェアにアクセスするためのファンクション実行ルーチンを体系化したプログラムである。Ｓｙｓｔｅｍ  ＢＩＯＳ１３ａには、システムに対するパワーオン時に各種デバイスの初期化及びテストを行うＩＲＴルーチンと、各種ハードウェアを制御するためのドライバ群が含まれる。
【００３２】
ＣＭＯＳ（complementary metal-oxide semiconductor）２９にはＲＴＣ（Real Time Clock）２９ａが内蔵される。ＲＴＣ２９ａは日時をカウントするモジュールであり、システム電源オフ状態時においても内蔵電池から供給される電源を用いて動作する。
【００３３】
ＣＭＯＳ２９には、ＢＩＯＳのＳｅｔｕｐ画面にて指定された設定内容等が記憶される。
【００３４】
ＬＰＣバス２６上にはエンベデッドコントローラ／キーボードコントローラＩＣ（ＥＣ／ＫＢＣ）２３が接続される。
【００３５】
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
【００３６】
ＥＣ／ＫＢＣ２８にはキーボード５とパワーボタン６とＰＳＣ（Power Supply Controller）３０とが接続される。
【００３７】
ＥＣ／ＫＢＣ２８は、ＰＳＣ３０と共同してシステム電源のオン／オフ等を制御する電源シーケンス制御機能、および電源ステータス通知機能等を有する
【００３８】
電源ステータス通知機能とは、ＰＳＣ３０と共同してレジューム処理ルーチンの開始要因となるウェイクアップイベントの発生を監視し、ウェイクアップイベント発生時にシステム管理割り込みＳＭＩ（System Management Interrupt）を用いてＳｙｓｔｅｍ  ＢＩＯＳ１３ａにイベントが発生した旨を通知する機能である。
【００３９】
ウェイクアップイベントとして、パワーボタン６の押下げ操作に応じた電源スイッチ３０ａのオン、本体２に対してディスプレイユニット３を閉状態から開状態にする操作に応じたパネルスイッチ３０ｂのオン等がある。
【００４０】
ＥＣ／ＫＢＣ２８は、Ｓｙｓｔｅｍ  ＢＩＯＳ１３ａと通信を行うためのＩ／Ｏポートを有する。Ｓｙｓｔｅｍ  ＢＩＯＳ１３ａはＩ／Ｏポートを介してＥＣ／ＫＢＣ２８に設けられるコンフィグレーションレジスタに対してリード／ライトを行うことで、発生したイベントを示すステータスのリード、監視および通知するイベントの種類の設定を行う。ＥＣ／ＫＢＣ２８とＰＳＣ３０との間の通信はＩ２Ｃバスを介して行われる。
【００４１】
ＰＳＣ３０はＡＣアダプタ７または二次電池３１から供給される電力をコンピュータ１内の各モジュールに供給する。二次電池３１は交換可能に設けられる。ＡＣアダプタ７からコンピュータ１に電源が供給されている場合、ＡＣアダプタ７から供給される電力は、ＰＳＣ３０を介して二次電池３１に蓄積される。
【００４２】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１のシステムに対して電源供給を開始するようにＰＳＣ３０に通知する。ＰＳＣ３０はＥＣ／ＫＢＣ２８からの通知に基いて、ＡＣアダプタ７または二次電池３１からコンピュータ１のシステムに対して電源供給を開始するように制御する。
【００４３】
ＥＣ／ＫＢＣ２８はＦＡＮ３３の回転数を検出し、さらにＦＡＮ駆動電圧制御回路３２がＦＡＮ３３に印加する電圧を制御することで、ＦＡＮ３３の回転数を制御する。ＥＣ／ＫＢＣ２８はＣＰＵ１０の温度を検出する。ＦＡＮ３３はＣＰＵ１０をはじめとするコンピュータ１内の発熱体を冷却するために設けられるユニットである。
【００４４】
また、ＥＣ／ＫＢＣ２８はシステムの電流量を監視し、例えばチップセットを介してＣＰＵ１０にストップクロック信号（ＳＴＰＣＬＫ）を与えることによりＣＰＵ１０のスロットリング制御を行なう。
【００４５】
ＥＣ／ＫＢＣ２８は、例えばＰＳＣ３０に設けられる電流センサにより検出された電流値を読取り、電源の電圧値を元にシステムの消費電力、並びに規定時間Ｔ内の平均消費電力Ｐavgを算出し、この平均消費電力Ｐavgと基準値とを比較してＣＰＵ１０をスロットリング制御する。
【００４６】
スロットリング機能とは、ＣＰＵ１０を一定間隔で動作／停止させるという間欠動作を行なうことによって、平均的なＣＰＵ処理速度を切替える機能であり、インターバルストップクロック機能あるいは間欠動作機能と称されることもある。
【００４７】
スロットリングがＤｉｓａｂｌｅになっている状態、つまりＣＰＵ１０が常に動作している状態ＣＰＵ１０の最高性能に相当し、スロットリングが任意％（動作状態に対する停止状態の割合：スロットリング比率）でＥｎａｂｌｅされている状態が最高性能ではない状態に相当する。動作状態に対する停止状態の割合（スロットリング比率）を変化させることにより、ＣＰＵ性能を多段階で制御することができる。本実施形態では、ＣＰＵ１０が常に動作している状態がデフォルトの状態として規定されており、スロットリング制御を開始するまでは、ＣＰＵ１０は常に最高性能で動作する。ＣＰＵ１０の動作状態／停止状態の切替え制御は、ストップクロック信号（ＳＴＰＣＬＫ）を用いて行なうことができる。
【００４８】
今、例えば、
【００４９】
規定時間Ｔ＝６０秒間
【００５０】
予め定めた消費電力の上限値Ｐu ＝８０Ｗ
【００５１】
予め定めた消費電力の下限値Ｐl ＝６０Ｗ
【００５２】
スロットリング比率ｒ＝１２．５％
とした場合、ＥＣ／ＫＢＣ２８は、次のような制御動作を行なう。
【００５３】
ＥＣ／ＫＢＣ２８は、一定時間毎、例えば０．１秒毎に電流センサの電流値を読取り、電源の電圧値を元に電力値を算出する。そして、規定時間Ｔ、すなわち過去６０秒間の平均消費電力Ｐavg を算出し、その平均消費電力Ｐavg が８０Ｗ（上限値Ｐu ）以上となった場合にスロットリング比率が１２．５％のスロットリング制御を行なう。それでもなお、平均消費電力Ｐavg が８０Ｗを超えている場合には２５％、３７．５％、…のようにスロットリング比率を１２．５％ずつ順次増加させていく。上記スロットリング比率の増加は、平均消費電力Ｐavg が６０Ｗより低下するまで継続して行なう。
【００５４】
そして、スロットリング制御が行なわれている状態で、平均消費電力Ｐavg が６０Ｗ未満になった場合には、スロットリング比率を１２．５％ずつ順次減少させていく。このスロットリング比率の減少は、０％になるまで、もしくは平均消費電力Ｐavg が８０Ｗを超えるまで継続して行なう。次に、ＥＣ／ＫＢＣ２８の機能について説明する。
【００５５】
図３は、ＥＣ／ＫＢＣ２８の機能の一例について説明する図である。
【００５６】
ＥＣ／ＫＢＣ２８は、コントローラ２８ａ、レジスタ２８ｂ、およびファン回転数検出回路２８ｃを有する。
【００５７】
ＥＣ／ＫＢＣ２８はＣＰＵ１０の温度を検出する温度センサ１０ａと電気的に接続される。温度センサ１０ａはＣＰＵ１０の温度を検出するセンサであり、サーミスタ等によって構成される。温度センサ１０ａはＣＰＵ１０に接して、または近傍に設けられ、例えばＣＰＵ１０のＬＳＩパッケージ中に設けられる。
【００５８】
コントローラ２８ａは温度センサ１０ａによって検出された温度をモニタリングする。コントローラ２８ａは、温度センサ１０ａによって検出された温度およびレジスタ２０ｂに格納されているＦＡＮ制御パラメタに基いてＦＡＮ２１の回転数を決定する。
【００５９】
コントローラ２８ａによって決定された回転数に応じて、ファン駆動電圧制御回路３２はファン駆動電圧をＦＡＮ３３に印加する。ＦＡＮ３３に印加する電圧が規定の印加電圧値の範囲内で最大の電圧値の場合、ＦＡＮ３３の回転数は最大となり、規定の印加電圧値の範囲内で最小の電圧値の場合、ＦＡＮ３３の回転数は最小となる。レジスタ２８ｂに格納されているＦＡＮ制御パラメタについては、後述にて詳細に説明する。
【００６０】
ファン回転数検出回路２８ｃは、ＦＡＮ３３から出力されるＦＡＮ３３の回転数に応じたパルス信号を受け取り、ＦＡＮ３３の回転数を検出する。次に、ユーザの指示に応じてＣＰＵ１０の冷却を実行するユーティリティ（アプリケーション）について説明する。
【００６１】
図４は、ユーザの指示に応じてＣＰＵ１０の冷却動作を開始／終了させるユーティリティを実行することでＣＰＵ１０を冷却する手順の一例を示した流れ図である。図５は、ＣＰＵ１０の冷却動作を開始／終了させるユーティリティの設定画面の一例を示す図である。
【００６２】
ユーザは、ＣＰＵ冷却ユーティリティを起動する（ステップ  Ｓ１００）。ユーザは例えば図５に示すようなウィンドウをＬＣＤに表示させ、ユーザの指示に応じてＣＰＵ１０の冷却処理を行うＣＰＵ冷却機能をオンにするか否かを設定する。
【００６３】
ＣＰＵ冷却ユーティリティが起動され、かつＣＰＵ冷却機能がオンの状態で、例えばユーザが所定のキー（ホットキー）を押下げ操作等をすると、次に説明される処理が開始される。
【００６４】
ＣＰＵ冷却を開始させる所定のキー操作がなされると、ＦＡＮ３３の駆動が開始されることでＣＰＵ１０の冷却が開始される（ステップ  Ｓ１０１）。このとき、ＦＡＮ３３に印加されるファン駆動電圧は例えば規定の印加電圧値の範囲内で最大の電圧値でありＦＡＮ３３の回転数は最大である。
【００６５】
さらに、ＣＰＵ１０のスロットリング比率の増加を開始する（ステップ  Ｓ１０２）。ＣＰＵ１０のスロットリング比率の増加のやり方として、ＣＰＵ１０の消費する平均消費電力が最小消費電力に至るまで、ＣＰＵ１０のスロットリング比率を増加させるやり方が考えられる。
【００６６】
ＣＰＵ１０の冷却が行われている間、ＣＰＵ１０の温度は測定される。ＥＣ／ＫＢＣ２８は、ＣＰＵ１０が設定温度に達したか否かを判定する（ステップ  Ｓ１０３）。
【００６７】
ＣＰＵ１０の温度が設定温度以上である場合、ＥＣ／ＫＢＣ２８はＦＡＮ３３を最大回転させ続ける（ステップ  Ｓ１０４）とともに、ＣＰＵ１０の消費する平均消費電力が最小電力となるスロットリング比率を維持する（ステップ  Ｓ１０５）。
【００６８】
一方、ＣＰＵ１０の温度が設定温度よりも低くなった場合、ＥＣ／ＫＢＣ２８はＦＡＮ３３の駆動を停止させる（ステップ  Ｓ１０６）。ＣＰＵ１０のスロットリング比率は、最大スロットリング比率が維持される（ステップ  Ｓ１０７）。
【００６９】
さらに、ＣＰＵ冷却ユーティリティはＣＰＵ１０の温度が設定温度よりも低くなった場合、ＣＰＵ１０の冷却処理が終了した旨を示すウィンドウをＬＣＤに表示する（ステップ  Ｓ１０８）。ユーザはこのウィンドウを見て、ＣＰＵ１０の冷却処理が終了したことを認識する。
【００７０】
その後、ＣＰＵ冷却ユーティリティは自動終了する（ステップ  Ｓ１０９）。
【００７１】
このように、任意のタイミングでユーザによって出される指示に応じてＦＡＮ３３の駆動およびＣＰＵ１０のスロットリング制御を開始することでＣＰＵ１０を急速冷却することが可能となる。さらに、ＣＰＵ１０の急速冷却が終了するとＦＡＮ３３の駆動を停止するので、ＣＰＵ１０は冷却された状態であるとともにＦＡＮ３３を駆動するために要する電力を抑えることが可能となる。
【００７２】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７３】
【図１】ディスプレイユニットを本体に対して開いた状態の一例を示す斜視図。
【図２】コンピュータの構成の一例を示す図。
【図３】ＥＣ／ＫＢＣ２８の機能の一例について説明する図。
【図４】ＣＰＵ１０を冷却する手順の一例を示した流れ図。
【図５】ＣＰＵ１０の冷却動作を開始／終了させるユーティリティの設定画面の一例を示す図。
【符号の説明】
【００７４】
１…コンピュータ、２…本体、３…表示ユニット、４…ＬＣＤ、
５…キーボード、６…パワーボタン、７…ＡＣアダプタ、１０…ＣＰＵ、
１３ａ…Ｓｙｓｔｅｍ  ＢＩＯＳ、１３ｂ…ＯＳ、
２８…ＥＣ／ＫＢＣ、
【図１】
2007066073.tif 000003
【図２】
2007066073.tif 000004
【図３】
2007066073.tif 000005
【図４】
2007066073.tif 000006
【図５】
2007066073.tif 000007